(57)【要約】【課題】  操作ボタン側のインナーワイヤの露出領域が座屈してレリースワイヤが破損することのない遠隔操作式の排水栓装置を提供する。【解決手段】  操作ボタン１５０を押すごとにレリースワイヤ１６０によって排水栓蓋１９０を昇降させて排水口２１０を開閉する遠隔操作式排水栓装置１００において、レリースワイヤ１６０は、操作ボタン１５０の動作を排水栓蓋１９０に伝達するインナーワイヤ１６０ｂと、インナーワイヤ１６０ｂの外周を保護するアウターチューブ１６０ａとを有し、操作ボタン１５０側におけるインナーワイヤ１６０ｂが保護されていない露出領域において、インナーワイヤ１６０ｂにかかる最大想定荷重をインナーワイヤ１６０ｂの操作ボタン１５０側の端部にかけてもインナーワイヤ１６０ｂが座屈しないように、インナーワイヤ１６０ｂの露出領域の寸法を短くした。【選択図】  図６
2015025313.tif 000002
【特許請求の範囲】
【請求項１】
操作ボタンを押すごとにレリースワイヤによって排水栓蓋を昇降させて排水口を開閉する遠隔操作式排水栓装置において、
前記レリースワイヤは、前記操作ボタンの動作を前記排水栓蓋に伝達するインナーワイヤと、前記インナーワイヤの外周を保護するアウターチューブとを有し、
前記操作ボタン側における前記インナーワイヤが保護されていない露出領域において、前記インナーワイヤにかかる最大想定荷重を前記インナーワイヤの操作ボタン側の端部にかけても前記インナーワイヤが座屈しないように、前記インナーワイヤの露出領域の寸法を短くしたことを特徴とする遠隔操作式排水栓装置。
【請求項２】
前記インナーワイヤの露出領域を外側からカバーして前記インナーワイヤを保護するインナーガイドを設けたことを特徴とする請求項１記載の遠隔操作式排水栓装置。
【請求項３】
前記機構部に前記アウターチューブの端部を取付け固定される下ケースから前記操作ボタン側に延ばした円環部を前記インナーガイドとして、前記インナーワイヤの露出領域の外周をカバーすることを特徴とする請求項２記載の遠隔操作式排水栓装置。
【発明の詳細な説明】
【技術分野】
【０００１】
本発明は、操作ボタンの操作をレリースワイヤを介して排水栓に伝達して、浴槽や洗面ボウルなどの水槽の排水口を開閉する遠隔操作式の排水栓装置に関する。
【背景技術】
【０００２】
遠隔操作式の排水栓装置は、排水口を開閉する排水栓蓋と、操作ボタンと、操作ボタンの動作を排水栓蓋に伝達するレリースワイヤと、操作ボタンの動きをレリースワイヤに伝える機構部と、レリースワイヤの動きを排水栓蓋に伝えるプランジャー付きの作動部と、を備えている。また、機構部または作動部のいずれかに、スラストロック機構を設けている。このスラストロック機構は、プッシュ式ボールペンにも採用されている既知の機構であり、操作ボタンを手で押し下げるごとにスラストロック機構のロックが解除される。押し下げた操作ボタンから手を離すと、スラストロック機構に内蔵されたスプリングの付勢力によって操作ボタンを上昇させ、スラストロック機構を、操作ボタンを上昇ポジションに保持する第一のロック状態と、下降ポジションに保持する第二のロック状態とのいずれかにする。これによって、操作ボタンを押すごとに、排水栓蓋を上昇あるいは下降させて、排水口を開閉する。
遠隔操作式の排水栓装置は、このような構造のため、排水栓蓋が上昇しているときに、例えば、排水栓蓋が踏まれたりして排水栓蓋が下がろうとしても、スラストロック機構でロックされているために、操作ボタンが動かず、レリースワイヤのインナーワイヤは作動できない。すると、レリースワイヤの先端で、アウターチューブに対してインナーワイヤが露出しているために、プランジャーから受ける荷重などによってアウターチューブで保護されていないインナーワイヤの露出領域が座屈してしまい、レリースワイヤが破損して、排水栓が動作不良になることがあった。
【０００３】
このような問題は、ショックアブソーバスプリングが内蔵された作動部に、インナーワイヤ（コアコイル）の露出部分の外周を保護するプランジャーガイドを設けて、インナーワイヤの座屈を防止することにより解決することが可能である（特許文献１参照）。
【先行技術文献】
【特許文献】
【０００４】
【特許文献１】特開２００８−２２３４５３号公報
【発明の概要】
【発明が解決しようとする課題】
【０００５】
しかし、一方で、インナーワイヤがアウターチューブに保護されていないのは、排水栓蓋側に配置されている作動部に限らず、操作ボタン側に配置されている機構部でも同様である。すなわち、操作ボタン側のレリースワイヤの先端ではインナーワイヤはアウターチューブで保護されていない。そのため、例えば、作動部に内蔵されたショックアブソーバスプリングからインナーワイヤに荷重がかかったり、レリースワイヤの途中が何かに挟まれてしまってアウターチューブに対してインナーワイヤが相対的に動かなくなる等の事情によって、操作ボタン側のインナーワイヤも座屈する恐れがあった。
そこで、本発明は、操作ボタン側のインナーワイヤの露出領域が座屈してレリースワイヤが破損することのない遠隔操作式の排水栓装置を提供することを目的とする。
【課題を解決するための手段】
【０００６】
本発明は、上記した課題を解決するために、操作ボタンを押すごとにレリースワイヤによって排水栓蓋を昇降させて排水口を開閉する遠隔操作式排水栓装置において、前記レリースワイヤは、前記操作ボタンの動作を前記排水栓蓋に伝達するインナーワイヤと、インナーワイヤの外周を保護するアウターチューブとを有し、前記操作ボタン側における前記インナーワイヤが保護されていない露出領域において、前記インナーワイヤにかかる最大想定荷重を前記インナーワイヤの操作ボタン側の端部にかけても前記インナーワイヤが座屈しないように、前記インナーワイヤの露出領域の寸法を短くしたことを特徴とする。
【０００７】
これによれば、操作ボタンを押してインナーワイヤに最大想定荷重を加えても、外周がアウターチューブで保護されていないインナーワイヤの露出領域が座屈しないので、破損しにくく耐久性のある遠隔操作式排水栓を得ることができる。
【０００８】
インナーワイヤの露出領域の寸法を短くするには、前記インナーワイヤの露出領域を外側からカバーして前記インナーワイヤを保護するインナーガイドを設けるのがよい。
【０００９】
これによれば、インナーワイヤの外側をインナーガイドがカバーするので、確実にインナーワイヤの座屈を防ぐことができる。
【００１０】
さらに、前記機構部のアウターエンドから前記操作ボタン側に延びた円環部を前記インナーガイドとして、前記インナーワイヤの露出領域の外周をカバーするようにしてもよい。
【００１１】
これによれば、既存の部品の形状を変更するだけでインナーガイドを得られるので、余計な部材が不要であり、低コストで実現できる。
【発明の効果】
【００１２】
本発明は、操作ボタン側のインナーワイヤの露出領域が座屈してレリースワイヤが破損することのない遠隔操作式の排水栓装置を提供することができる。
【図面の簡単な説明】
【００１３】
【図１】本発明の実施形態にかかる排水栓装置を示す概略図である。
【図２】図１の排水栓装置の操作部を示す側面図である。
【図３】図２に示す操作部の概略縦断面図である。
【図４】図２に示す操作部の分解図である。
【図５】図２に示す操作部を浴槽のリム部に取り付ける状態を示す側面図である。
【図６】排水栓を閉じた状態における操作部側の機構部の断面図である。
【図７】操作ボタンを最も押し込んだ状態における操作部側の機構部の断面図である。
【図８】排水栓を開いた状態における操作部側の機構部の断面図である。
【発明を実施するための形態】
【００１４】
以下、図面を参照して、本発明の実施の形態を説明する。
図１は本発明の実施形態にかかる排水栓装置を示す概略図である。
排水栓装置１００は、浴槽２００（水槽）に設けられた排水口２１０に取り付けられる排水栓部１００Ａと、浴槽２００のリム面２２０に形成された貫通孔２２１（図３参照）に取り付けられる操作部１００Ｂと、を備え、排水栓部１００Ａと操作部１００Ｂとをレリースワイヤ１６０で接続した遠隔操作式の排水栓装置である。レリースワイヤ１６０は、操作部１００Ｂと排水栓部１００Ａとを接続するように設けられたホース１７０の内部に配設され、アウターチューブ１６０ａ（図６参照）の内部で保護されたインナーワイヤ１６０ｂ（図６参照）が進退するように構成されている。
【００１５】
排水栓部１００Ａは、浴槽２００の排水口２１０の下部に取り付けられた支持金具１８０にレリースワイヤ１６０の一端に設けられた作動部１６５を保持させ、その作動部１６５に排水口２１０を閉じる排水栓蓋１９０を取り付けている。後述する操作ボタン１５０の操作によってレリースワイヤ１６０を介して作動部１６５が排水栓蓋１９０を昇降させることにより、排水口２１０を開閉する。なお、図示しないが、支持金具１８０には、前述したホース１７０の一端が取り付けられている。
【００１６】
次に、操作部１００Ｂについて説明する。
図２は排水栓装置の操作部を示す側面図、図３は操作部の中央縦断面図、図４は操作部の分解図である。
操作部１００Ｂは、外周面に雄ネジ１１３が形成された円筒部１１１の上端部に外向きのフランジ１１２を設けたフランジ部材１１０と、フランジ部材１１０の雄ネジ１１３に螺合する雌ネジ１２１を有する締付ナット１２０と、レリースワイヤ１６０の他端に設けられた機構部１６２を保持してフランジ部材１１０の円筒部１１１の下端に下方から接続される接続管１３０と、接続管１３０を締付ナット１２０に取り付ける接続管用接続具１４０と、フランジ部材１１０の円筒部１１１の内部に進退可能に配設された操作ボタン１５０と、を備えている。これらのフランジ部材１１０、締付ナット１２０、接続管１３０、接続管用接続具１４０、操作ボタン１５０は、いずれも樹脂製部材である。
【００１７】
フランジ部材１１０は浴槽２００のリム面２２０の表面側から貫通孔２２１に挿通される。締付ナット１２０は、浴槽２００のリム面２２０の裏面側から、雌ネジ１２１をフランジ部材１１０の雄ネジ１１３に螺合させる。雌ネジ１２１を雄ネジ１１３に締め付けて、フランジ部材１１０のフランジ１１２と締付ナット１２０とで浴槽２００のリム面２２０を挟持する。そして、フランジ部材１１０の円筒部１１１の内周が、操作ボタン１５０を進退可能に支える案内面１１４となる。これにより、フランジ部材１１０と締付ナット１２０とが、浴槽２００のリム面２２０に設けた貫通孔２２１に対して操作ボタン１５０の進退をガイドする操作部ガイド部Ａとなる。
【００１８】
締付ナット１２０は、その外周面の下方に、後述するガイド溝１２２を複数設けている。また、締付ナット１２０の下部に、接続管１３０の上端部が挿入可能な凹部１２３を形成している。
【００１９】
接続管１３０は、下端部にレリースワイヤ１６０の周囲を囲うホース１７０が接続され、上端部を操作部ガイド部Ａに接続している。また、接続管１３０の内部に、機構部１６２を保持する保持部１３１を形成している。また、接続管１３０は、上端部を外向きに突出させた突出部１３２とし、その外周側面に、Ｏリング１３３を嵌める溝１３４を設けている。このＯリング１３３は、接続管１３０が操作部ガイド部Ａに接続されると、接続管１３０の上端部が締付ナット１２０の凹部１２３に挿入されて、締付ナット１２０の凹部１２３の内周面に密接してシールする。
【００２０】
接続管接続具１４０は、接続管１３０の上部寄りの端部に回転可能に設けられている。具体的には、接続管１３０の上部の周囲に形成した浅溝部１３５に、接続管接続具１４０を部分的に係合させて、接続管接続具１４０を浅溝部１３５に沿って回転可能にしている。また、接続管接続具１４０を浅溝部１３５に係合させた状態で、接続管接続具１４０の水平上面が接続管１３０の突出部１３２の下面に接する。そして、接続管接続具１４０の内周部の上方に、後述する突起１４１を複数設けている。
【００２１】
接続管１３０を操作部ガイド部Ａに接続する際には、接続管１３０の上端を操作部ガイド部Ａに近づけた状態で操作部接続具１４０を回して、突起１４１を前述した締付ナット１２０のガイド溝１２２に挿入し、さらに操作部接続具１４０を回し続けて突起１４１をガイド溝１２２のロック位置１２２ｃまで到達させて、接続管１３０の接続は完了となる。
【００２２】
操作ボタン１５０は、機構部１６２の内部から操作ボタン側に突き出たロッド１６３の先端に装着される。ロッド１６３の基端部にはレリースワイヤ１６０のインナーワイヤ１６０ｂが差し込まれる受け部１６３ａが形成されている。
この操作ボタン１５０を押すたびに、操作ボタン１５０を押す力がロッド１６３からレリースワイヤ１６０に伝わり、排水栓蓋１９０を昇降する。
【００２３】
機構部１６２は、操作ボタン１５０を押すたびにロッド１６３が機構部１６２内に押込まれて、機構部１６２内でレリースワイヤ１６０のインナーワイヤ１６０ｂを押し込んで、操作ボタン１５０の進退動作をレリースワイヤ１６０に伝えるように機能する。また、使用者が操作ボタン１５０から手を離すと、押込まれたロッド１６３を上昇させる復帰バネ１６２ｅ（図６参照）を内蔵して、操作ボタン１５０を上昇させるように機能する。さらに、本実施形態では、機構部１６２の内部にスラストロック機構を内蔵させ、押しボタン１５０を押すたびに、高い位置と低い位置とに交互に押しボタン１５０が位置するようにして、排水栓蓋１９０が排水口２１０を閉じる位置と排水口２１０を開く位置とに保持するようにしている。
この機構部１６２については、後に詳述する。
【００２４】
次に、操作部ガイド部Ａに接続管１４０を接続する構造について説明する。
図５は操作部を浴槽のリム部に取り付ける状態を示す側面図である。
【００２５】
前述したように、接続管用接続具１４０は、その内周部の上方に突起１４１を設けている。本実施形態では、９０度間隔で４個の突起１４１を設けている。
【００２６】
また、操作部ガイド部Ａの一部を構成する締付ナット１２０は、その外周部に突起１４１を差し込み可能なガイド溝１２２を、突起１４１と同じく４個設けている。このガイド溝１２２は、締付ナット１２０の外周面を内方に凹ませて形成している。このガイド溝１２０の凹みは、突起１４１がガイド溝１２０から外れて空回りしないように適度な深さになっている。また、ガイド溝１２２の手前を締付ナット１２０の下面に開放して、その開放端から突起１４１を挿入するようにされている。
【００２７】
ガイド溝１２２の奥には、差し込まれた突起１４１を動かぬように拘束するロック部が設けられている。本実施形態においては、このロック部は、ガイド溝１２２の底面１２２ｅを部分的に浅くする段部１２２ａで構成している。接続管接続具１４０をロックする際には、接続管接続具１４０を回して突起１４１の頂点が段部１２２ａを乗り越えるように力をかけて接続管接続具１４０を回転させることによって、突起１４１をロック位置１２２ｃに到達させる。
また、ガイド溝１２２の開放端から段部１２２ａの間に、ガイド溝１２２に受け入れた突起１４１を斜め上向きに案内する傾斜ガイド部１２２ｂを設けている。
さらに、ガイド溝１２２には、脱落防止部１２４を設けている。本実施形態では、この脱落防止部１２４は、段部１２２ａより奥側、すなわちガイド溝１２２のロック位置１２２ｃの下部に、外側に突出させた突出壁を設けることにより、突起１４１がガイド溝１２２から外れないように構成している。これにより、接続管１３０が左右に傾くような方向に力が加わった場合でも、この突出壁が、突起１４１のガイド溝１２２へのかかり代を大きくするように働くので、接続管１３０が操作部ガイド部Ａから外れるのを防止することができる。
【００２８】
接続管１３０を操作部ガイド部Ａに接続する際には、まず、接続管１３０の上端を操作部ガイド部Ａに近づけた状態で操作部接続具１４０を回して、突起１４１を前述した締付ナット１２０のガイド溝１２２に挿入する。次いで、操作部接続具１４０を回し続けて、突起１４１をガイド溝１２２の傾斜ガイド部１２２ｂ内を移動させることによって接続管接続具１４０を上方に移動させて接続管１３０の上端部を締付ナット１２０の下面に設けた凹部１２３に徐々に挿入させる。この際、接続管１３０に取り付けたＯリング１３３も接続管接続具１４０を回すことによって軽い力で凹部１２３に挿入される。そして、さらに操作部接続具１４０を回して、突起１４１をガイド溝１２２のロック位置１２２ｃまで到達させて、接続管１３０の接続は完了となる。
【００２９】
このように、本実施形態では、接続管１３０に回転可能に付設されている接続管接続具１４０を少し回すだけで、操作部ガイド部Ａに接続管１３０を接続することができる。そのため、従来のように、着脱可能なロック部材の装着ミスによって接続管が接続不良となることはない。また、接続管接続具１４０は、締め込む量が大きい袋ナットではないから、接続管接続具１４０を少し回すだけで接続できるので、接続作業も簡単であり、接続管接続具１４０の作業ミスも起こりにくい。すなわち、簡単な作業で操作部ガイド部Ａに接続管１３０を確実に取り付けることができるので、接続管１３０の取付け不良による不具合を無くすことができる。
【００３０】
また、ガイド溝１２２の奥に、突起１４１をロック位置１２２ｃに拘束する位置決め用の段部１２２ａを形成したことにより、接続管接続具１４０が自然に抜けるのを防止できる。
【００３１】
さらに、突起１４１がロック位置１２２ｃに到達して接続管１３０が操作部ガイド部Ａに接続された状態で、例えば、ホース１７０が斜めに引っ張られるなどして接続管１３０を左右に傾ける方向の力が働いたとしても、ガイド溝１２２から突起１４１が外れるのを脱落防止部１２４が防止するので、接続管１３０をより強固に接続することができる。
【００３２】
また、締付ナット１２０にガイド溝１２２を設けたことにより、操作部ガイド部Ａを予め浴槽２００のリム面２２０に取り付けた際に占める領域を小さく抑えることができる。そのため、浴槽２００のリム面２２０の下方の作業空間を大きく確保することができ、例えば、浴槽２００の裏側に被るような壁パネルの施工の作業性を高めることができる。
【００３３】
さらに、ガイド溝１２２は、接続管１３０が操作部ガイド部Ａに徐々に挿入させる傾斜ガイド部１２２ｂを有し、突起１４１を傾斜ガイド部１２２ｂで案内しつつ接続管１３０を操作部ガイド部Ａに徐々に挿入することによって、接続管１３０に設けたＯリング１３３を、操作部ガイド部Ａと接続管１３０との間に配設させるようにした。これにより、接続管用接続具１４０を回転させて接続管接続具１４０を徐々に操作部ガイド部Ａ内に挿入させる動きを利用して、操作部ガイド部Ａと接続管１３０の間にＯリング１３３を配設するので、Ｏリング１３３を操作部ガイド部Ａと接続管１３０の間に楽に押し込むことが可能となる。
【００３４】
次に、機構部１６２の詳細構造について説明する。
図６は、排水栓を閉じた状態における機構部の断面図、図７は、操作ボタンを最も押し込んだ状態における機構部の断面図、図８は、排水栓を開いた状態における機構部の断面図である。
【００３５】
機構部１６２は、下ケース１６２ａと、上ケース１６２ｂと、スラストロック機構１６２ｃと、インナーガイド部材１６２ｄと、復帰バネ１６２ｅと、を備えている。
【００３６】
下ケース１６２ａは、円筒体の上部を開口させてその内側に雌ねじを形成し、円筒体の下部にはインナーワイヤ１６０ｂを挿通する貫通孔１６２ａ１とアウターチューブ１６０ａを固定する固定座１６２ａ２とを形成している。
上ケース１６２ｂは、円筒体の下部を開口させてその外側に雄ねじを形成し、円筒体の上部には、ロッド１６３を挿通する貫通孔１６２ｂ１を形成している。
この下ケース１６２ａと上ケース１６２ｂとを羅合させて、機構部１６２の外郭を構成する。
【００３７】
スラストロック機構１６２ｃは、例えば、プッシュ式ボールペンにも採用されている既知の機構である。操作ボタン１５０を手で押し下げるごとにスラストロック機構１６２ｃのロックが解除される。押し下げた操作ボタン１５０から手を離すと、後述する復帰バネ１６２ｅの付勢力によって操作ボタン１５０を上昇させ、スラストロック機構１６２ｃを、操作ボタン１５０を上昇ポジションに保持する第一のロック状態と、下降ポジションに保持する第二のロック状態とのいずれかにするものである。
【００３８】
インナーガイド部材１６２ｄは、下ケース１６２ａと上ケース１６２ｂの内部に収容されて、下ケース１６２ａと上ケース１６２ｂを螺合する際に共締めされる。インナーガイド部材１６２ｄは、外筒部１６２ｄ１と内筒部１６２ｄ２と外筒部１６２ｄ１と内筒部１６２ｄ２を接続する底部１６２ｄ３とを有している。外筒部１６２ｄ１は、下ケース１６２ａと上ケース１６２ｂの内周面に沿うように配設される。内筒部１６２ｄ２は、アウターチューブ１６０ａから露出したインナーワイヤ１６０ｂの外周を保護するように配設されて、インナーガイドの役割を果たす。
【００３９】
復帰バネ１６２ｅは、前述したとおり、押し下げられた操作ボタン１５０から手を離したときに操作ボタン１５０が上昇するように付勢する。
【００４０】
このように構成された機構部１６２は、アウターチューブ１６０ａの端部から露出するインナーワイヤ１６０ｂの露出領域を内部に収容している。なお、この露出領域とは、アウターチューブ１６０ａの端部から露出するインナーワイヤ１６０ｂのうち、ロッド１６３の基端部の受け部１６３ａに差し込まれた先端部を除いた領域を指しており、操作ボタン１５０の操作によって長さが変化する。
【００４１】
機構部１６２は、排水栓が閉じて操作ボタン１５０が上がっているとき（図６の状態）では、インナーワイヤ１６０ｂは、インナーガイド部材１６２ｄの内筒部１６２ｄ２とロッド１６３との間が、インナーガイド部材１６２ｄに保護されていない状態にある。
この状態から操作ボタン１５０を押し下げると、スラストロック機構１６２ｃの第一のロック状態が解除されてロッド１６３が最大限下降されて、図７の状態となる。
この状態から操作ボタン１５０から手を離すと、復帰バネ１６２ｅの付勢力によってロッド１６３が上昇してスラストロック機構を第二のロック状態にし、操作ボタン１５０は下がった位置で保持される（図８の状態）。
【００４２】
ここで、操作ボタン１５０を押し下げることによって、インナーワイヤ１６０ｂの露出領域にはインナーワイヤ１６０ｂを圧縮する方向に荷重がかかる。そのため、操作ボタン１５０を押す力が万が一インナーワイヤ１６０ｂの座屈強度を超えた場合にはインナーワイヤ１６０ｂの露出領域が座屈してしまう恐れがある。
【００４３】
しかし、本実施形態においては、インナーワイヤ１６０ｂの露出領域のアウターチューブ側をインナーガイド部材１６２ｄの内筒部１６２ｄ２で保護して、露出領域を短くしている。そのため、操作ボタン１５０に最大想定荷重が前記インナーワイヤの操作ボタン側の端部にかかった場合でも、インナーワイヤ１６０ｂの露出領域が短くなっているからインナーワイヤ１６０ｂの座屈強度が勝り、インナーワイヤ１６０ｂは座屈することがない。
なお、本実施形態の排水栓装置においては、操作ボタン１５０の形状や大きさなどから、インナーワイヤ１６０ｂには最大で約１７６Ｎの荷重がかかるとの想定である。そして、この最大想定荷重（約１７６Ｎ）がインナーワイヤ１６０ｂにかかった場合でも、インナーワイヤ１６０ｂの露出領域の長さ寸法は約２３ｍｍ以下であればインナーワイヤ１６０ｂは座屈しない。すなわち、操作ボタン１５０が最も上昇した状態（排水栓蓋１９０が排水口２１０を閉じた状態）において、インナーワイヤ１６０ｂの露出領域の寸法が２３ｍｍ以下となるようにインナーガイド部材１６２ｄの内筒部１６２ｄ２を長くして、インナーワイヤ１６０ｂの露出領域の外周を保護すれば、インナーワイヤ１６０ｂに最大想定荷重を加えても、インナーワイヤ１６０ｂの露出領域が座屈せずに、破損しにくく耐久性のある遠隔操作式排水栓を得ることができるのである。
なお、この最大想定荷重や、最大想定荷重がかかった際の露出領域の長さ寸法は、操作ボタンの大きさや形状、インナーワイヤの素材や外径及び線径によって異なるものである。
【００４４】
以上の説明では、操作部１５０側のインナーワイヤ１６０ｂの露出領域に座屈を防止する構造を説明したが、もちろん、排水栓蓋１９０側の作動部１６５におけるインナーワイヤ１６０ｂの露出領域にも、本発明と同様にインナーワイヤ１６０ｂの座屈を防止する構造を採用して、インナーワイヤ１６０ｂの両端部において座屈を防止するのが好ましい。
【００４５】
次に、本実施形態の変形例について説明する。
この変形例は、インナーガイドを、既存の部材を利用して形成するものである。下ケース１６２ｂから操作ボタン１５０側に向けて円環部を延設させて、インナーガイドとし、インナーワイヤ１６０ｂの露出領域の外周をカバーするようにしてもよい。これによれば、前述した実施形態のインナーガイド部材１６２ｄのような、インナーワイヤ１６０ｂを保護するための専用部材を用いることなく、既存の部材（下ケース１６２ｂ）の形状を変えるだけで、前述した実施形態と同様の効果を発揮することができる。
【００４６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【００４７】
本実施形態では、排水栓装置１００を浴槽２００に取り付ける例を説明したが、洗面ボウルに取り付ける際にも本発明を適用可能である。また、操作ボタン１５０の取付対象部として、やはり浴槽２００を例示して説明したが、浴槽２００に隣接するカウンターの上面を操作ボタン１５０の取付対象部としてもよい。また、操作ボタン１５０を取り付ける取付対象部は、水平面に限らず、垂直面あるいは傾斜面であってもよい。
【符号の説明】
【００４８】
１００…遠隔操作式排水栓装置
１５０…操作ボタン
１６０…レリースワイヤ
１６０ａ…アウターチューブ
１６０ｂ…インナーワイヤ
１６２…機構部
１６２ａ…上ケース
１６２ｂ…下ケース
１６２ｃ…スラストロック機構
１６２ｄ…インナーガイド部材
１６２ｄ２…インナーガイド（内筒部）
１６２ｅ…復帰バネ
１６５…作動部
１９０…排水栓蓋
２１０…排水口
【図１】
2015025313.tif 000003
【図２】
2015025313.tif 000004
【図３】
2015025313.tif 000005
【図４】
2015025313.tif 000006
【図５】
2015025313.tif 000007
【図６】
2015025313.tif 000008
【図７】
2015025313.tif 000009
【図８】
2015025313.tif 000010